(57)【要約】      （修正有）【課題】 雨水による筋状の汚れの発生を可及的に防止することができると共に現実的な使用感が向上されたシャッターボックスを提供する。【解決手段】シャッターボックス１の天面１ａからの塵埃を含んだ雨水は、シャッターボックス前面に雨筋となって垂れることなく雨水貯留部２の両側から流れ落ちるので、シャッターボックス１のシャッターボックス前面が筋状に汚れるのを防止することができる。したがって、このシャッターボックス１を用いた建物は、シャッターボックス１の汚れが目立たないので、掃除の手間がかからず優れたメンテナンス性が得られる。【選択図】 図１
2009019422.tif 000002
【特許請求の範囲】
【請求項１】
外壁から外側に突出するように建物開口部の上辺に設けられ、天面に水勾配が設けられてなるシャッターボックス前面上端部と、シャッターボックス天面前端部とが交差する領域に雨水貯留部を設けてなることを特徴とするシャッターボックス。
【請求項２】
雨水貯留部が、シャッターボックス天面前端部が下方に曲折されて形成された雨水貯留側部と、その雨水貯留側部の下端が、シャッターボックスの前面方向に曲折されてなる雨水貯留底部とよりなり、雨水貯留底部がシャッターボックスの前面に連続されると共にシャッターボックスの前面上端が雨水貯留底部よりも上方に延設されてなる請求項１に記載のシャッターボックス。
【請求項３】
雨水貯留部が、シャッターボックス天面前端部が下方に曲折されて形成された雨水貯留側部と、その雨水貯留側部の下端が、シャッターボックスの前面方向に曲折されてなる雨水貯留底部とよりなり、雨水貯留底部がシャッターボックスの前面に連続されると共にシャッターボックスの前面上端と雨水貯留底部との連続角部に沿って連続角部を被覆する堰部が取り付けられてなる請求項１または請求項２に記載のシャッターボックス。
【請求項４】
雨水貯留底部との連続角部には堰部に対する係止部が一体に形成され、堰部が前記係止部に弾性的に係止される弾性部材である請求項３に記載のシャッターボックス。
【請求項５】
雨水貯留部が、シャッターボックス天面前端部が下方に曲折されて形成された雨水貯留側部と、その雨水貯留側部の下端が、シャッターボックスの前面方向に曲折されてなる雨水貯留底部とよりなり、雨水貯留底部がシャッターボックスの前面に連続されると共にシャッターボックスの前面上端から雨水貯留側部の下端に向けて下方に斜行する勾配を備える請求項１〜請求項３の何れか一に記載のシャッターボックス。
【請求項６】
雨水貯留部の両側端の少なくとも一方が開放されてなる請求項１〜請求項５の何れか一に記載のシャッターボックス。
【請求項７】
シャッターボックス両側面の少なくとも一方に雨水貯留部に連続する毛管溝または雨樋を配設する請求項６に記載のシャッターボックス。
【発明の詳細な説明】
【技術分野】
【０００１】
本発明は、シャッターボックスに関するものである。
【背景技術】
【０００２】
特許文献１に示される様に、住宅建物に設けられるガレージや掃き出し窓などに設けられているシャッターを収納し、ガレージや掃き出し窓などの開口部の上辺において、外壁から突出するようにして設けられるシャッターボックスの天面部分には、緩い水勾配が設けられていた。
【０００３】
このように、天面部分に緩い水勾配を設けて開口部の上辺から突出するようにして設けられるシャッターボックスの場合、雨が降ると、シャッターボックス前面に雨筋が垂れて、そのまま筋状の汚れとして残るといった不都合を生じることから特許文献２にはシャッターボックスの前面よりもさらに外方向に突出するように天面から延設され、その延設先端がさらに下方向に屈曲された水切り部を設けることによって筋状の汚れの発生を防止することができるシャッターボックスが開示された。
【特許文献１】特開２００２−９７８６５号公報
【特許文献２】特開２００６−３２８６９５号公報
【発明の開示】
【発明が解決しようとする課題】
【０００４】
一般に雨天の場合には風が伴い、その方向及び強さによっては特許文献２に示されたシャッターボックスにあっても、雨と同時に吹く風によってシャッターボックスの前面に雨水が吹き付けられることを避けることはできず、その吹き付けられた雨水によってシャッターボックスの前面に筋状の汚れが発生する場合がある。
【０００５】
また雨が止んだ後にシャッターを開放してガレージに出入りする場合には、水切り部から地上に落下する雨水がガレージへの出入りを妨げるという現実的な使用感の悪さがあった。
【０００６】
本発明は以上の従来技術の問題に鑑み、雨水による筋状の汚れの発生を可及的に防止することができると共に現実的な使用感が向上されたシャッターボックスを提供することを目的とする。
【課題を解決するための手段】
【０００７】
上記課題を解決するための本発明のシャッターボックスは、外壁から外側に突出するように開口部の上辺に設けられ、天面に水勾配が設けられてなるシャッターボックス前面上端部と、シャッターボックス天面前端部とが交差する領域に雨水貯留部を設けてなることを特徴とする。
【０００８】
雨水貯留部が、シャッターボックス天面前端部が下方に曲折されて形成された雨水貯留側部と、その雨水貯留側部の下端が、シャッターボックスの前面方向に曲折されてなる雨水貯留底部とよりなり、雨水貯留底部がシャッターボックスの前面に連続されると共にシャッターボックスの前面上端が雨水貯留底部よりも上方に延設されてなる様にしてもよい。
【０００９】
雨水貯留部が、シャッターボックス天面前端部が下方に曲折されて形成された雨水貯留側部と、その雨水貯留側部の下端が、シャッターボックスの前面方向に曲折されてなる雨水貯留底部とよりなり、雨水貯留底部がシャッターボックスの前面に連続されると共にシャッターボックスの前面上端と雨水貯留底部との連続角部に沿って連続角部を被覆する堰部が取り付けられてなる様にしてもよい。
【００１０】
雨水貯留底部との連続角部に堰部に対する係止部を一体に形成し、堰部を前記係止部に弾性的に係止される弾性部材である様にしてもよい。
【００１１】
雨水貯留部が、シャッターボックス天面前端部が下方に曲折されて形成された雨水貯留側部と、その雨水貯留側部の下端が、シャッターボックスの前面方向に曲折されてなる雨水貯留底部とよりなり、雨水貯留底部がシャッターボックスの前面に連続されると共にシャッターボックスの前面上端から雨水貯留側部の下端に向けて下方に斜行する勾配を備えるようにすることができる。
【００１２】
雨水貯留部の両側端の少なくとも一方が開放されてなるようにし、シャッターボックス両側面の少なくとも一方に雨水貯留部に連続する毛管溝または雨樋を配設してもよい。
【発明の効果】
【００１３】
本発明のシャッターボックスによれば、シャッターボックス天面からの塵埃を含んだ雨水は、シャッターボックス前面に雨筋となって垂れることなく雨水貯留部に貯留され、適宜水雨水貯留部の両側端の少なくとも一方に設けられた開放切り部から流れ落ちるので、シャッターボックスの前面が筋状に汚れるのを完全に防止することができ、しかも雨が止んだ後にシャッターを開放してガレージに出入りする場合にもシャッターボックス天面から地上に落下する雨水がガレージへの出入りを妨げるという問題はなく、使用感が向上される。
【発明を実施するための最良の形態】
【００１４】
以下、本発明の実施の形態を図面を参照して説明する。
図１は本発明の一実施の形態のシャッターボックス１の斜視図を示し、図２は図１に示すシャッターボックス１の断面図、図３は図１に示すシャッターボックス１の斜視模式図、図４は本発明の他の実施の形態のシャッターボックス１の斜視図、図５は本発明のさらに他の実施の形態のシャッターボックス１の斜視図を示し、図６は本発明のさらに別の実施の形態のシャッターボックス１の斜視図を示す。
【００１５】
図１に示す様に、シャッターボックス１は、シャッターボックスの前面１ｂ上端部と、シャッターボックス１の天面１ａ前端部とが交差する領域に雨水貯留部２を有する。
シャッターボックス１は、車庫出入り口３の幅に略合致する長さで、その内部にシャッター４を巻回して収納することができる直方体形状となされている。
このシャッターボックス１は、車庫出入り口３の上辺部分に設けられ、外壁５から外側に突出するように設けられその天面１ａには、外壁５に近い基端部側から、外壁５から離れる先端側に向けて下り勾配となる水勾配が設けられている。
【００１６】
シャッターボックス１の底面１ｄには、このシャッターボックス１内にシャッター４が収納された状態でシャッター４の末端が密着するようになされており、この底面１ｄから車庫出入り口３を覆うようにシャッター４が出し入れ可能となされている。なお、シャッターボックス１の前面１ｂや両側面１ｃには、シャッターボックス１自体の意匠性を高める装飾溝部６が設けられている。
【００１７】
図２、図３に示す様にシャッターボックス１の前面１ｂ上端部と、シャッターボックス１の天面１ａ前端部とが交差する領域に設けられた雨水貯留部２は、シャッターボックス１の天面１ａ前端部が下方に曲折されて形成された雨水貯留側部２ａと、その雨水貯留側部２ａの下端が、シャッターボックス１の前面１ｂ方向に曲折されてなる雨水貯留底部２ｂとよりなる。
【００１８】
雨水貯留底部２ｂはシャッターボックス１の前面に連続されると共にシャッターボックス１の前面１ｂ上端は雨水貯留底部２ｂよりも上方に延設され、さらに雨水貯留部２を形成するシャッターボックス１の前面１ｂの上方への延設端部には屈曲部２ｃが形成される。屈曲部２ｃはその先端をシャッターボックス１の天面１ａの基端部側に向けて雨水貯留底部２ｂとの対向面をなす様に形成される。
その様に雨水貯留底部２ｂよりも上方に延設された前面１ｂと雨水貯留底部２ｂと雨水貯留側部２ａ及び屈曲部２ｃとによって雨水貯留部２が形成される。
【００１９】
シャッターボックス１の前面１ｂ内側方の雨水貯留部２の幅Ｗは、１０ｍｍ以上、好ましくは２０ｍｍ程度が良い。また、屈曲部２ｃの長さＬは５ｍｍ以上、好ましくは１５ｍｍ程度が良い。
この雨水貯留部２は、シャッターボックス１の前面１ｂを構成する鋼板自体が前面１ｂの上端から上方に延設され上方向に突出するように形成されてなる。
【００２０】
このシャッターボックス１によると、天面１ａからの塵埃を含んだ雨水は、前面１ｂに雨筋となって垂れることなく雨水貯留部２の両側から流れ落ちるので、シャッターボックス１の前面１ｂが筋状に汚れるのを防止することができる。したがって、このシャッターボックス１を用いた建物は、シャッターボックス１の汚れが目立たないので、掃除の手間がかからず優れたメンテナンス性が得られる。
【００２１】
なお、シャッターボックス１を設ける車庫出入り口３としては、外壁５よりもシャッターボックス１自体が突出して設けられる車庫出入り口３であれば、その形状としては特に限定されることなく、各種の車庫出入り口３に用いることができる。
【００２２】
また、このシャッターボックス１は、外壁５よりもシャッターボックス１自体が突出して設けられる箇所であれば、特に車庫出入り口３だけに限定されるものではなく、掃き出し窓、腰窓など各種の窓に用いることができ、建物に設けられる各種の開口部に用いることができる。
【００２３】
図４は本発明の他の実施の形態のシャッターボックス１を示し、この実施の形態では通常のシャッターボックス１の前面１ｂに、鋼板７を設けて雨水貯留部２が形成されている。
鋼板７は、シャッターボックス１の前面１ｂに略合致する長さに形成され、前面１ｂに設けた状態でシャッターボックス１の前面１ｂの上端から上方に延設されて雨水貯留部２を構成することができる幅となされた長板状に形成されており、一側辺は、上記した屈曲部２ｃを構成するように屈曲されている。この鋼板７は、シャッターボックス１の前面１ｂ上に接着、ビス固定等によって取り付けられる。
【００２４】
このように鋼板７を設けて雨水貯留部２を構成する場合、このような雨水貯留部２の無い既設のシャッターボックス１であっても、所定の鋼板７を設けることによって本願発明のように雨水貯留部２を有するシャッターボックス１とすることができる。
【００２５】
図５（ａ）は本発明の他の実施の形態のシャッターボックス１の斜視図を示し、本実施の形態ではシャッターボックス１の雨水貯留部２が、シャッターボックス１天面１ａ前端部が下方に曲折されて形成された雨水貯留側部２ａと、その雨水貯留側部２ａの下端が、シャッターボックス１の前面方向に曲折されてなる雨水貯留底部２ｂとよりなり、雨水貯留底部２ｂがシャッターボックス１の前面に連続されると共にシャッターボックス１の前面上端と雨水貯留底部２ｂとによって形成される連続角部２ｅに沿って連続角部２ｅを被覆する堰部８が取り付けられてなる。
【００２６】
図５（ａ）（ｂ）（ｃ）に示す様に堰部８は適宜樹脂製の弾力性を備えた素材とすることができ、その断面は円柱の一部切り欠き断面を有し、外側面は円柱外側面状の曲面とされてなる。係る堰部８の断面切り欠き部分の拡開角度αは９０℃よりも小なる角度とされ、かつ堰部８の円柱状断面の中心部には断面切り欠き部分からさらに内側方に切り欠いた係止部８ａが形成されてなる。
【００２７】
一方、シャッターボックス１の前面上端と雨水貯留底部２ｂとによって形成される連続角部２ｅに沿ってシャッターボックス１の前面上端を延長し、若しくは雨水貯留底部２ｂを延長してなるリブ状係止部９が設けられ、このリブ状係止部９が堰部８の係止部８ａに嵌合された状態で、堰部８を連続角部２ｅに沿って装着することができる。
【００２８】
本実施の形態のシャッターボックス１によればシャッターボックス１の前面上端と雨水貯留底部２ｂとによって形成される連続角部２ｅに沿って連続角部２ｅを被覆する堰部８備えるので、簡易な構造で雨水貯留部２に雨水を確実に貯留して、シャッターボックス１の前面１ｂが流れ落ちる雨水によって筋状に汚れるのを防止することができる。
しかも、雨水貯留底部２ｂを延長してなるリブ状係止部９に堰部８の係止部８ａを嵌合させることによって必要に応じて簡単に堰部８を連続角部２ｅに沿って着脱することができる。
【００２９】
図６は本発明のさらに他の実施の形態のシャッターボックス１の斜視図を示し、この実施の形態のシャッターボックス１にあっては、雨水貯留部２が、シャッターボックス１天面１ａ前端部が下方に曲折されて形成された雨水貯留側部２ａと、その雨水貯留側部２ａの下端が、シャッターボックス１の前面方向に曲折されてなる雨水貯留底部２ｂとよりなり、雨水貯留底部２ｂがシャッターボックス１の前面に連続されると共にシャッターボックス１の前面１ｂ上端は雨水貯留側部２ａと雨水貯留底部２ｂとの交差位置よりも上方に位置し、その結果、雨水貯留底部２ｂはシャッターボックス１の前面１ｂ上端から雨水貯留側部２ａの下端に向けて下方に斜行する勾配を備えるようにしてなる。
【００３０】
本実施の形態のシャッターボックス１によれば雨水貯留底部２ｂがシャッターボックス１の前面１ｂ上端から雨水貯留側部２ａの下端に向けて下方に斜行する勾配を備えるので、特には鋼板７や堰部８のような別部材が無くても簡易な構造で雨水貯留部２に雨水を確実に貯留して、シャッターボックス１の前面１ｂが流れ落ちる雨水によって筋状に汚れるのを防止することができる。
【００３１】
図７は本発明のさらに他の実施の形態のシャッターボックス１を示し、この実施の形態のシャッターボックス１にあっては、雨水貯留部２が、シャッターボックス１天面１ａ前端部が下方に曲折されて形成された雨水貯留側部２ａと、その雨水貯留側部２ａの下端が、シャッターボックス１の前面方向に曲折されてなる雨水貯留底部２ｂとよりなり、雨水貯留底部２ｂがシャッターボックス１の前面に連続されると共にシャッターボックス１の前面１ｂ上端にはロールホーミング加工で板金を２ｍｍ程度折り曲げてなる堰部１０が形成される。
【００３２】
本実施の形態のシャッターボックス１によればシャッターボックス１の前面１ｂ上端をロールホーミング加工で折り曲げてなる堰部１０を備えるので、特には鋼板７や堰部８のような別部材が無くても簡易な構造で雨水貯留部２に雨水を確実に貯留して、シャッターボックス１の前面１ｂが流れ落ちる雨水によって筋状に汚れるのを防止することができる。
【００３３】
なお、以上の各実施の形態のシャッターボックス１にあっては雨水貯留部２の両側端が開放されており、図１に示す様に、シャッターボックス１両側面１ｃの少なくとも一方に毛管溝１ｆを設け、係る毛管溝１ｆによって雨水貯留側部２ａから装飾溝部６、装飾溝部６から地上に向けて排水が行われる様にすることができる。また地域によっては図１に示す雨樋１１をシャッターボックス１両側面１ｃの少なくとも一方に装着し、雨水貯留部２の両側端の少なくとも一方の開口から雨樋１１を介して排水する様にしても良い。
【図面の簡単な説明】
【００３４】
【図１】本発明の一実施の形態のシャッターボックスの斜視図である。
【図２】図１に示すシャッターボックスの断面図である。
【図３】図１に示すシャッターボックスの斜視模式図である。
【図４】本発明の他の実施の形態のシャッターボックスの斜視模式図である。
【図５】（ａ）本発明のさらに他の実施の形態のシャッターボックスの斜視模式図、（ｂ）同じく部分拡大側面図、（ｃ）同じく側面図である。
【図６】（ａ）本発明のさらに別の実施の形態のシャッターボックスの斜視模式図、（ｂ）同じく側面図である。
【図７】（ａ）本発明のまた別の実施の形態のシャッターボックスの斜視模式図、（ｂ）同じく側面図である。
【符号の説明】
【００３５】
１・・・シャッターボックス、１ｂ・・・シャッターボックス前面、１ａ・・・シャッターボックスの天面、２・・・雨水貯留部、２ａ・・・雨水貯留側部、２ｂ・・・雨水貯留底部、２ｃ・・・屈曲部、３・・・車庫出入り口、４・・・シャッター、５・・・外壁。
【図１】
2009019422.tif 000003
【図２】
2009019422.tif 000004
【図３】
2009019422.tif 000005
【図４】
2009019422.tif 000006
【図５】
2009019422.tif 000007
【図６】
2009019422.tif 000008
【図７】
2009019422.tif 000009